(57)【要約】【課題】広告宣伝したい商品等について、一人一人が手に持って、印刷画像表示媒体を通して、必然的に、確実に見せることできる広告宣伝媒体を提供することにある。【解決手段】本発明は、商品を充填包装した紙製容器の外面に、該商品を表示する商品名、商標名、製造者、販売者、商品説明事項等の商品表示にかかる文字、図形、記号、絵柄等からなる印刷画像表示部を形成すると共に、該印刷画像表示部以外の領域に、該紙製容器内に充填包装された商品と全く無関係の他の商品を広告宣伝する文字、図形、記号、絵柄等からなる印刷画像表示部を形成したことを特徴とする広告宣伝媒体に関するものであり、それぞれの印刷画像表示部を、紙製容器の外面のそれぞれ異なる面に形成したことを特徴とし、紙製容器を構成する紙基材の坪量が８０〜６００ｇ／ｍ2の範囲であることを特徴とする。【選択図】図１
2004163984.tif 000002
【特許請求の範囲】
【請求項１】
商品を充填包装した紙製容器の外面に、該商品を表示する商品名、商標名、製造者、販売者、商品説明事項等の商品表示にかかる文字、図形、記号、絵柄等からなる印刷画像表示部を形成すると共に、該印刷画像表示部以外の領域に、該紙製容器内に充填包装された商品と全く無関係の他の商品を広告宣伝する文字、図形、記号、絵柄等からなる印刷画像表示部を形成したことを特徴とする広告宣伝媒体。
【請求項２】
前記商品を表示する商品名、商標名、製造者、販売者、商品説明事項等の商品表示にかかる文字、図形、記号、絵柄等からなる前記印刷画像表示部と、該紙製容器内に充填包装された商品と全く無関係の他の商品を広告宣伝する文字、図形、記号、絵柄等からなる前記印刷画像表示部とを、前記紙製容器の前記外面のそれぞれ異なる面に形成したことを特徴とする請求項１に記載する広告宣伝媒体。
【請求項３】
前記紙製容器を構成する紙基材の坪量が８０〜６００ｇ／ｍ2の範囲であることを特徴とする上記の請求項１又は２に記載する広告宣伝媒体。
【請求項４】
前記紙製容器が、前記紙基材と、バリアー性を有する各種フィルム又はシートとから構成されていることを特徴とする請求項１乃至３のいずれかに記載する広告宣伝媒体。
【発明の詳細な説明】
【技術分野】
【０００１】
本発明は，広告宣伝媒体に関し、更に詳しくは、商品を購入した人に、広告宣伝したい商品を確実に知らせ、その関心を引きつけることができる広告宣伝媒体に関するものである。
【背景技術】
【０００２】
従来、広告宣伝媒体としては、種々のものが開発され、提案されている。例えば、新聞、雑誌等に広告欄を設け、ここに広告宣伝したい商品の商品名、商標名、製造者、販売者、商品説明事項等の商品表示にかかる文字、図形、記号、絵柄等からなる印刷画像表示を形成し、その商品の広告宣伝を行っている。あるいは、商品に関するチラシ、カタログ等を作製し、これを不特定多数の人に配布し、そこに掲載されている商品を広く知らせて、人々の関心を引いて広告宣伝を行う場合もある。更に、例えば、街頭のネオンサイン等を利用し、主に、視覚を通して商品を広告宣伝する場合、更には、ラジオ、街頭放送等を利用し、主に、音声を通して商品を広告宣伝する場合、あるいは、テレビ等を利用し、主に、音声と映像等を通して商品を広告宣伝する場合等もある。
【発明の開示】
【発明が解決しようとする課題】
【０００３】
しかしながら、上記のような広告宣伝媒体による広告宣伝は、不特定多数の人に向かって商品を広告宣伝するものであり、通常、一人一人は、それを視覚を通して見ても、また、それを聴覚を通して聴いても、広告宣伝する商品について、それ程関心を引くものではないものである。ましてや、人は、近年、広告宣伝による喧騒、騒々しさ等に嫌悪感を持ち、かつ、辟易しており、それほどに関心のない商品には、見たり、聴いたりすることを避け、チラシ、カタログ等に至っては、見ないで、そのまま捨ててしまい、その商品の広告宣伝に振り向かないのが実状である。そこで本発明は、広告宣伝したい商品等について、一人一人が手に持って、印刷画像表示媒体を通して、必然的に、確実に見せることできる広告宣伝媒体を提供することである。
【課題を解決するための手段】
【０００４】
本発明者は、上記のような問題点を解決すべく種々研究の結果、種々の商品を充填包装する紙製容器の外面に着目し、種々の商品を充填包装する紙製容器の外面に、まず、その充填包装する商品の商品名、商標名、製造者、販売者、商品説明事項等の通常の商品表示にかかる文字、図形、記号、絵柄等からなる印刷画像表示部を形成し、更に、該印刷画像表示部以外の領域に、該紙製容器内に充填包装された商品と全く無関係の他の商品を広告宣伝する文字、図形、記号、絵柄等からなる印刷画像表示部を形成した包装製品を製造し、これを市場に供給したところ、その紙製容器を購入しようとする、あるいは、購入した一人一人は、その紙製容器を手に持って、その外面に施されている充填包装されている商品と共に他の商品に関する印刷画像表示部に目を落とし、必然的に、確実に、その印刷画像表示部を見ることになり、これによって、極めて商品の広告宣伝機能の高い広告宣伝媒体を製造し得ることを見出して本発明を完成したものである。
【０００５】
すなわち、本発明は、商品を充填包装した紙製容器の外面に、該商品を表示する商品名、商標名、製造者、販売者、商品説明事項等の商品表示にかかる文字、図形、記号、絵柄等からなる印刷画像表示部を形成すると共に、該印刷画像表示部以外の領域に、該紙製容器内に充填包装された商品と全く無関係の他の商品を広告宣伝する文字、図形、記号、絵柄等からなる印刷画像表示部を形成したことを特徴とする広告宣伝媒体に関するものである。また、前記商品を表示する商品名、商標名、製造者、販売者、商品説明事項等の商品表示にかかる文字、図形、記号、絵柄等からなる前記印刷画像表示部と、該紙製容器内に充填包装された商品と全く無関係の他の商品を広告宣伝する文字、図形、記号、絵柄等からなる前記印刷画像表示部とを、前記紙製容器の前記外面のそれぞれ異なる面に形成したことを特徴とする。さらに、前記紙製容器を構成する紙基材の坪量が８０〜６００ｇ／ｍ2の範囲であることを特徴とする。さらにまた、前記紙製容器が、前記紙基材と、バリアー性を有する各種フィルムないしシートとから構成されていることを特徴とするものである。
【発明の効果】
【０００６】
本発明の広告宣伝媒体の請求項１の発明によれば、種々の商品を充填包装する紙製容器の外面に着目し、種々の商品を充填包装する紙製容器の外面に、まず、その充填包装する商品の商品名、商標名、製造者、販売者、商品説明事項等の通常の商品表示にかかる文字、図形、記号、絵柄等からなる印刷画像表示部を形成し、更に、該印刷画像表示部以外の領域に、該紙製容器内に充填包装された商品と全く無関係の他の商品を広告宣伝する文字、図形、記号、絵柄等からなる印刷画像表示部を形成した紙製容器を製造し、これを市場に供給して、その紙製容器を購入しようとする、あるいは、購入した一人一人は、その紙製器を手に持って、その外面に施されている充填包装されている商品と共に他の商品に関する印刷画像表示部に目を落とし、必然的に、確実に、その印刷画像表示部を見ることになり、これによって、極めて商品の広告宣伝機能の高い広告宣伝媒体を製造し得ることができるというものである。
【０００７】
また、請求項２の発明によれば、請求項１の発明の効果に加え、一つの面に、充填包装する商品の商品名、商標名、製造者、販売者、商品説明事項等の通常の商品表示にかかる文字、図形、記号、絵柄等からなる印刷画像表示部を形成することなく、紙製容器内に充填包装された商品と全く無関係の他の商品を広告宣伝する文字、図形、記号、絵柄等からなる印刷画像表示部を形成することにより、販売時点で、購入者が広告宣伝の印刷画像表示部を視認しやすく、販促効果のより高い広告宣伝媒体とすることができるという効果がある。
【０００８】
また、請求項３の発明によれば、請求項１又は２の発明の効果に加え、この範囲の材料を使用することによって、製造適性が良好であり、剛性がある紙製容器を得ることができ、販売時点で、購入者が見易く、販促効果のより高い広告宣伝媒体とすることができるという効果がある。
【０００９】
また、請求項４の発明によれば、請求項１乃至３のいずれかの発明の効果に加え、紙製容器に内容物を充填した状態の商品の保存性が高くなり、長時間の保存が可能となることによって、広告宣伝期間を長くすることができるという効果がある。
【発明を実施するための最良の形態】
【００１０】
上記の本発明について以下に更に詳しく説明する。まず、本発明にかかる広告宣伝媒体の構成についてその一例を例示して図面を用いて説明すると、図１および図２は、本発明にかかる広告宣伝媒体である紙製容器の構成を示す概略的平面図である。紙製容器が、屋根型の紙製容器（ゲーベルトップシール型の液体用紙容器）からなる場合を例示するものであり、まず、例えば、オレンジジュース等の果汁飲料等の商品１を充填包装した紙製容器２の表側Ｐの外面に、そのオレンジジュース等の果汁飲料等の商品１を表示する事項、例えば、商品１の商標名ａ、商品１を表す絵柄ｂ、商品１の品名、中身、内容量、製造者、および販売者等を表す欄ｃ、その他、商品１の飲料法、保存法等の所定の表示事項（図示してない）等の商品１を表す文字、図形、記号、絵柄等からなる印刷画像表示部３を形成し、更に、その印刷画像表示部３以外の領域、例えば、紙製容器２の裏側Ｑの外面に、該紙製容器２内に充填包装されているジュース等の果汁飲料等の商品１と全く無関係である、例えば、ゴルフクラブ等の他の商品４を広告宣伝する事項、例えば、他の商品４の商品名ｘ、他の商品４を表す絵柄ｙ、他の商品４の性能、製造者、販売者等の他の商品４を表示する欄ｚ、その他、他の商品４の使用法、修理法等の所定の事項（図示してない）等の他の商品４を表す文字、図形、記号、絵柄等からなる印刷画像表示部５を形成して、本発明にかかる広告宣伝媒体Ａを構成するものである。
【００１１】
上記の例示は、本発明にかかる広告宣伝媒体についてその一例を例示したものであり、これによって本発明は限定されるものではない。その形態は、内容物である商品の形態により、種々の形態のものを取り得るものである。而して、本発明においては、上記のような広告宣伝媒体により、その包装製品を購入しようとする、あるいは、購入した一人一人は、その紙製容器を手に持って、その外面に施されている充填包装されている商品と共に他の商品に関する印刷画像表示部に目を落とし、必然的に、確実に、その印刷画像表示部を見ることになり、これによって、極めて高い商品の広告宣伝機能を発揮することができるものである。
【００１２】
次に、本発明にかかる広告宣伝媒体について、それを構成する材料、製造法等を説明すると、まず、本発明において、紙製容器を構成する紙基材としては、賦型性、耐屈曲性、剛性等を持たせるものであり、例えば、強サイズ性の晒または未晒の紙基材、あるいは純白ロール紙、クラフト紙、板紙、加工紙等の紙基材、その他等を使用することができる。上記において、紙基材としては、坪量が８０〜６００ｇ／ｍ2の範囲もの、好ましくは、坪量が１００〜４５０ｇ／ｍ2の範囲ものを使用することが望ましい。勿論、本発明においては、紙基材と各種の樹脂のフィルムないしシート等を併用して使用することができる。
【００１３】
而して、本発明においては、上記のような紙基材に、原反の状態において、予め、例えば、文字、図形、記号、絵柄、模様等の所望の印刷絵柄を通常の印刷法、例えば、オフセット印刷、グラビア印刷、凸版印刷、シルクスクリ−ン印刷、転写印刷、その他等によって表刷り印刷、あるいは裏刷り印刷等を行うことにより、紙製容器内に充填包装した商品を表示する商品名、商標名、製造者、販売者、商品説明事項等の商品を表示する文字、図形、記号、絵柄等からなる印刷画像表示部を形成すると共に、該印刷画像表示部以外の領域に、該紙製容器内に充填包装された商品と全く無関係の他の商品を広告宣伝する文字、図形、記号、絵柄等からなる印刷画像表示部を形成することができるものである。なお、本発明においては、上記のような印刷画像表示部を形成するに際しては、印刷画像表示部を構成する文字、図形、記号、絵柄等を、通常の印刷インキを使用して形成する代わりに、例えば、蛍光性インキ、示温性インキ等を使用して印刷画像表示部を形成することもでき、更には、その印刷画像表示部の構造を凹凸画像等にすることもでき、更にまた、ホログラフィー等を使用して印刷画像表示部を形成してもよく、また、印刷インキの色数を増やして印刷画像表示部を形成することもできる。而して、上記のような印刷画像表示部を形成することにより、その機能性、広告宣伝効果等を更に高めることが可能となるものである。
【００１４】
ところで、本発明において、上記のような紙製容器を構成する場合、上記のような紙基材に、更に、製函する際に、ヒートシール性フィルムを使用するものである。本発明において、上記のヒートシール性フィルムとしては、熱によって溶融し相互に融着し得る樹脂のフィルムないしシートを使用することができ、具体的には、例えば、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレンまたはポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、その他等の樹脂のフィルムないしシートを使用することができる。而して、上記のフィルムないしシートは、その樹脂を含む組成物によるコーティング膜の状態で使用することができる。その膜もしくはフィルムないしシートの厚さとしては、５μｍないし３００μｍ位が好ましくは、更には、１０μｍないし１００μｍ位が望ましい。
【００１５】
更に、本発明において、上記のような紙製容器を構成する場合、必要ならば、例えば、遮光、水蒸気、ガス等のバリアー性を有するアルミニウム箔、あるいはアルミニウムの蒸着膜を有する樹脂のフィルム、水蒸気、ガス等のバリアー性を有する酸化ケイ素、酸化アルミニウム等の無機酸化物の蒸着膜を有する樹脂のフィルム、水蒸気、水等のバリアー性を有する低密度ポリエチレン、中密度ポリエチレン、高密度ポリエチレン、直鎖状低密度ポリエチレン、ポリプロピレン、エチレン−プロピレン共重合体等の樹脂のフィルムないしシート、あるいは、ガス、水蒸気等に対するバリアー性を有するポリ塩化ビニリデン、ポリビニルアルコール、エチレン−酢酸ビニル共重合体ケン化物等の樹脂のフィルムないしシート、樹脂に顔料等の着色剤を、その他、所望の添加剤を加えて混練してフィルム化してなる遮光等のバリアー性を有する各種の着色樹脂のフィルムないしシート、印刷層を設けてなる遮光等のバリアー性を有する各種樹脂のフィルムないしシートを使用することができる。これらの材料は、一種ないしそれ以上を組み合わせて使用することができる。
【００１６】
なお、本発明においては、通常、紙製容器は、物理的にも化学的にも過酷な条件におかれることから、紙製容器を構成する包装材料には、厳しい包装適性が要求され、変形防止強度、落下衝撃強度、耐ピンホール性、耐熱性、密封性、品質保全性、作業性、衛生性、その他等の種々の条件が要求され、このために、本発明においては、上記のような諸条件を充足する材料を任意に選択して使用することができ、具体的には、例えば、低密度ポリエチレン、中密度ポリエチレン、高密度ポリエチレン、線状低密度ポリエチレン、ポリプロピレン、エチレン−プロピレン共重合体、エチレン−酢酸ビニル共重合体、アイオノマー樹脂、エチレン−アクリル酸エチル共重合体、エチレン−アクリル酸またはメタクリル酸共重合体、メチルペンテンポリマー、ポリブテン系樹脂、ポリ塩化ビニル系樹脂、ポリ酢酸ビニル系樹脂、ポリ塩化ビニリデン系樹脂、塩化ビニル−塩化ビニリデン共重合体、ポリ（メタ）アクリル系樹脂、ポリアクリルニトリル系樹脂、ポリスチレン系樹脂、アクリロニトリル−スチレン共重合体（ＡＳ系樹脂）、アクリロニトリル−ブタジエン−スチレン共重合体（ＡＢＳ系樹脂）、ポリエステル系樹脂、ポリアミド系樹脂、ポリカーボネート系樹脂、ポリビニルアルコール系樹脂、エチレン−酢酸ビニル共重合体のケン化物、フッ素系樹脂、ジエン系樹脂、ポリアセタール系樹脂、ポリウレタン系樹脂、ニトロセルロース、その他等の公知の樹脂のフィルムないしシートから任意に選択して使用することができる。その他、例えば、セロハン等のフィルム、合成紙等も使用することができる。本発明において、上記のフィルムないしシートは、未延伸、一軸ないし二軸方向に延伸されたもの等のいずれのものでも使用することができる。また、その厚さは、任意であるが、数μｍから３００μｍ位の範囲から選択して使用することができる。更に、本発明においては、フィルムないしシートとしては、押し出し成膜、インフレーション成膜、コーティング膜等のいずれの性状の膜でもよい。
【００１７】
次に、上記の本発明において、上記のような材料を使用し、例えば、ウエットラミネーション法、ドライラミネーション法、無溶剤型ドライラミネーション法、押し出しラミネーション法、共押し出しラミネーション法、インフレーション法、その他等の通常の積層法等を利用して、所望の積層材を製造し、該積層材を使用し、これを製函して、紙製容器を製造することができる。而して、本発明において、上記の積層を行う際に、必要ならば、例えば、コロナ処理、オゾン処理等の前処理をフィルムに施すことができ、また、例えば、イソシアネート系（ウレタン系）、ポリエチレンイミン系、ポリブタジエン系、有機チタン系等のアンカーコーティング剤、あるいはポリウレタン系、ポリアクリル系、ポリエステル系、エポキシ系、ポリ酢酸ビニル系、セルロース系、その他等のラミネート用接着剤等の公知の前処理、アンカーコート剤、接着剤等を使用することができる。
【００１８】
次に、本発明において、上記のような積層材を使用して製函する方法について説明すると、積層材として、紙基材に他の材料を積層した積層材を製造し、これから所望の紙製容器を製造するブランク板を製造し、しかる後該ブランク板を使用して胴部、底部、頭部等を製函して、例えば、ブリックタイプ、フラットタイプあるいはゲーベルトップタイプの紙製容器を製造することができる。また、その形状は、角形容器、丸形等の円筒状の紙缶等のいずれのものでも製造することができる。
【００１９】
次に、本発明において、紙製容器に充填包装した商品を表示する商品名、商標名、製造者、販売者、商品説明事項等の商品表示にかかる文字、図形、記号、絵柄等からなる印刷画像表示部、更には、該印刷画像表示部以外の領域に、該プラスチックフィルム製軟包装袋内に充填包装された商品と全く無関係の他の商品を広告宣伝する文字、図形、記号、絵柄等からなる印刷画像表示部は、上記のように、通常は、紙製容器の原反の外面に設けるものであるが、紙製容器に商品を充填包装する前後に、例えば、包装紙等の商品の外装材、あるいは、紙製容器の外面に貼り合わせるラベル等にも設けることもでき、これによって、商品の外装材、あるいは、ラベル等も、本発明にかかる広告宣伝媒体とすることもできるものである。
【００２０】
次に、本発明において、紙製容器内に充填包装する商品、あるいは、これと全く関係のない他の商品としては、例えば、菓子、キャンディー、果汁、酒、油、調味料、その他等の各種の飲食品、洗剤、歯磨き粉、その他等の日用品、雑貨品、テレビ、冷蔵庫、洗濯機、掃除機、パソコン、ゲーム機、オーディオ製品、その他等の各種の電気製品、医薬品、ゴルフクラブ、サーカーボール、野球道具、その他等の各種の運動用具、その他等の種々の商品を対象とすることができ、これらの商品を任意に組み合わせて適用することができる。
【実施例】
【００２１】
次に、上記の本発明について、紙製容器の一例として液体用紙容器をあげて、以下に更に詳しく本発明を説明する。
【００２２】
坪量４００ｇ／ｍ2の紙の表面に、日本酒の商品名、日本酒を表す絵柄、その品名、原材料名、内容量、賞味期限、製造者、あるいは販売者等の日本酒を表示する印刷画像をグラビア印刷方式で印刷し、併せて、更に、上記の日本酒を表示する印刷画像表示以外の領域に、該日本酒と全く関係のない他の商品であるテレビを表示する文字、絵柄等を表刷り印刷し、次いで、上記の印刷面に、低密度ポリエチレンを使用し厚さ２０μｍに押し出しラミネートした。次に、上記の紙の非印刷面に、厚さ９μｍのアルミニウム箔を、低密度ポリエチレンを使用して厚さ２０μｍに押し出してサンドラミネートし、次いで、該アルミニウム箔面に、ポリウレタン系２液硬化型接着剤を３ｇ／ｍ2（乾燥状態）の割合で塗工し、しかる後、その塗工面に、厚さ１２μｍの二軸延伸ポリエチレンテレフタレートフィルムを貼り合わせ、更にまた、該二軸延伸ポリエチレンテレフタレートフィルム面に、ポリウレタン系２液硬化型接着剤を３ｇ／ｍ2（乾燥状態）の割合で塗工し、しかる後、その塗工面に、厚さ６０μｍの低密度ポリエチレンフィルムを貼り合わせて、下記の層構成からなる積層材を製造した。
厚さ２０μｍの低密度ポリエチレン層／印刷層／坪量４００ｇ／ｍ2の紙／厚さ２０μｍの低密度ポリエチレン層／厚さ９μｍのアルミニウム箔／接着剤層／厚さ１２μｍの二軸延伸ポリエチレンテレフタレートフィルム／接着剤層／厚さ６０μｍの低密度ポリエチレンフィルム
【００２３】
次に、上記で製造した積層材を使用し、まず、該積層材から液体用紙容器形成用のブランク板を製造し、次いで、該ブランク板を使用して、その端部を重ね合わせてその重合縁部を熱溶着して液体用紙容器形成用の角形胴部を製造し、しかる後、該角形胴部の一方の開口部を折り込みヒートシールして底部を形成して液体用紙容器を製造した。次いで、上記の液体用紙容器の上方の開口部から日本酒を充填し、しかる後、その開口部を折り込みヒートシールして屋根型の上方シール部を形成して、液体用紙容器を製造した。上記の液体用紙容器は、その表面に内容物である日本酒の印刷画像表示があり、また、その裏面には、該日本酒と全く関係のない他の商品であるテレビを広告宣伝する印刷画像が表示されていた。
【図面の簡単な説明】
【００２４】
【図１】本発明にかかる広告宣伝媒体の表側の構成を示す概略的平面図である。
【図２】本発明にかかる広告宣伝媒体の裏側の構成を示す概略的平面図である。
【符号の説明】
【００２５】
Ａ  広告宣伝媒体
１  商品
２  紙製容器
３  文字、図形、記号、絵柄等からなる印刷画像表示部
４  他の商品
５  他の商品を表す文字、図形、記号、絵柄等からなる印刷画像表示部
Ｐ  表側
Ｑ  裏側
ａ  商品の商標名
ｂ  商品を表す絵柄
ｃ  商品の品名、中身、製造者、および販売者等を表す欄
ｘ  他の商品の商標名
ｙ  他の商品を表す絵柄
ｚ  他の商品の性能、製造者等を表示する欄
【図１】
2004163984.tif 000003
【図２】
2004163984.tif 000004